【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
加工部材を支持可能なベース部と、
切断刃を支持する切断部と、
該ベース部の上方で揺動軸を支点として該切断部を揺動可能に支持すると共に、該ベース部に支持される支持部材とを備える卓上切断機であって、
該支持部材は、一端側において該ベース部に支持され、他端側において一対のパイプを支持する第１保持部を備え、該一対のパイプは平行に配置され、該一対のパイプの軸心を含む仮想平面は該切断刃の揺動方向と略平行な位置関係にあり、
該切断部は、該切断刃を揺動可能に支持し、端部に摺動支持部材を有する第２保持部を備え、
該摺動支持部材は、該一対のパイプに摺動可能に支持されることにより、該切断刃と共に該揺動軸に対して略直交する方向に移動可能であり、該揺動軸に対して略直交する方向に該切断刃が移動し、
該摺動支持部材は、該仮想平面上において該揺動軸に対して略直交する方向に該パイプを押圧することにより、該摺動支持部材に対して摺動を規制するよう該パイプに係合する係合部材を有し、
該支持部材は該ベース部に傾動可能に支持され、
該切断部は、該支持部材が傾動されることにより該支持部材と共に傾動することを特徴とする卓上切断機。
【請求項２】
該ベース部はベースとターンテーブルとを備え、該ターンテーブルは該ベース上に支持され、該ターンテーブルは該ベースに対して回動可能であり、該ターンテーブルの上面と該ベースの上面とは面一でありそれぞれ該ベース部の上面をなして該加工部材を支持し、
該支持部材は該ターンテーブルに傾動可能に支持されていることを特徴とする請求項１記載の卓上切断機。
【請求項３】
該係合部材は、ネジと該ネジの一端に設けられたノブとを有し、
該一対のパイプは該摺動支持部材によって周方向に覆われて保持され、該摺動支持部材には、該仮想平面上において該揺動軸に対して略直交する方向に貫通する貫通孔が形成され、
該ネジが該貫通孔に螺合し、該ネジの他端が、該仮想平面上において該揺動軸に対して略直交する方向に該パイプを押圧して該パイプの摺動を規制することを特徴とする請求項１又は２記載の卓上切断機。
【請求項４】
該係合部材は、該摺動支持部材が摺動する該パイプの部分に係合可能であり、該係合により、該摺動支持部材が摺動する該パイプの部分における任意の部分に該摺動支持部材を固定可能であることを特徴とする請求項１記載の卓上切断機。
【請求項５】
加工部材を支持可能なベース部と、
切断刃を有する切断部と、
前記ベース部の上方で揺動軸を支点として該切断部を揺動可能に支持すると共に、前記ベース部に支持される支持部材とを備え、
前記支持部材は前記ベース部に傾動可能に支持され、前記切断部は、前記支持部材の傾動と共に傾動する卓上切断機であって、
前記支持部材に支持された一対のパイプよりなり、該一対のパイプの軸心を含む仮想平面が前記切断刃の側面に対し平行に配置されたパイプを有するガイド部と、
前記一対のパイプに摺動可能に支持されると共に、前記切断刃を揺動可能に支持し、前記切断刃と共に前記揺動軸に対して略直交する方向に移動可能な摺動支持部材と、
該仮想平面上において前記揺動軸に対して略直交する方向に前記パイプを押圧することにより、前記摺動支持部材の摺動を規制するように前記パイプに係合する係合部材と、
を有することを特徴とする卓上切断機。
【手続補正２】
【補正対象書類名】明細書
【補正対象項目名】０００８
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
上記の目的を達成するために本発明は、加工部材を支持可能なベース部と、切断刃を支持する切断部と、該ベース部の上方で揺動軸を支点として該切断部を揺動可能に支持すると共に、該ベース部に支持される支持部材とを備える卓上切断機であって、該支持部材は、一端側において該ベース部に支持され、他端側において一対のパイプを支持する第１保持部を備え、該一対のパイプは平行に配置され、該一対のパイプの軸心を含む仮想平面は該切断刃の揺動方向と略平行な位置関係にあり、該切断部は、該切断刃を揺動可能に支持し、端部に摺動支持部材を有する第２保持部を備え、該摺動支持部材は、該一対のパイプに摺動可能に支持されることにより、該切断刃と共に該揺動軸に対して略直交する方向に移動可能であり、該揺動軸に対して略直交する方向に該切断刃が移動し、該摺動支持部材は、該仮想平面上において該揺動軸に対して略直交する方向に該パイプを押圧することにより、該摺動支持部材に対して摺動を規制するよう該パイプに係合する係合部材を有し、該支持部材は該ベース部に傾動可能に支持され、該切断部は、該支持部材が傾動されることにより該支持部材と共に傾動するように構成したことに一つの特徴を有する。
【手続補正９】
【補正対象書類名】明細書
【補正対象項目名】００１９
【補正方法】変更
【補正の内容】
【００１９】
本発明に係る卓上切断機の一実施形態によれば、第１摺動支持部は、仮想平面上において揺動軸に対して略直交する方向にパイプを押圧することにより、パイプを第１摺動支持部に対して摺動を規制するよう係合する第１係合部材を有しているため、第１係合部材による一方のパイプへの押圧によって変形する一方のパイプの方向を切断刃の略揺動方向、即ち、揺動軸に略垂直の方向に一致させることができる。このため、パイプが変形することが、ベース部上面に対する切断刃の垂直性に影響を与えず、ベース部上面に対する切断刃の垂直性の低下を防止することができる。
【手続補正１０】
【補正対象書類名】明細書
【補正対象項目名】００２０
【補正方法】変更
【補正の内容】
【００２０】
本発明に係る卓上切断機の一実施形態によれば、ベース部はベースとターンテーブルとを備え、ターンテーブルはベース上に支持され、ターンテーブルはベースに対して回動可能であり、ターンテーブルの上面とベースの上面とは面一でありそれぞれベース部の上面をなして加工部材を支持し、支持部材はターンテーブルに支持されているため、ベースに対してターンテーブルを回動させることにより、ベースに対して切断刃を回動させることができる。
【手続補正１１】
【補正対象書類名】明細書
【補正対象項目名】００２１
【補正方法】変更
【補正の内容】
【００２１】
本発明に係る卓上切断機の一実施形態によれば、支持部はベース部に傾動可能に支持されているため、支持部を傾動させることにより、切断部を支持部と共に傾動させることができる。
【手続補正１２】
【補正対象書類名】明細書
【補正対象項目名】００２２
【補正方法】変更
【補正の内容】
【００２２】
本発明に係る卓上切断機の一実施形態によれば、第１係合部材は、第１ネジと第１ネジの一端に設けられた第１ノブとを有し、一対のパイプは第１摺動支持部によって周方向に覆われて保持され、第１摺動支持部には、仮想平面上において揺動軸に対して略直交する方向に貫通する第１貫通孔が形成され、第１ネジが第１貫通孔に螺合し、第１ネジの他端が、仮想平面上において揺動軸に対して略直交する方向にパイプを押圧してパイプの摺動を規制するため、第１係合部材の構成を簡単にすることができる。
【手続補正１３】
【補正対象書類名】明細書
【補正対象項目名】００２３
【補正方法】変更
【補正の内容】
【００２３】
本発明に係る卓上切断機の一実施形態によれば、切断部は、切断刃を揺動可能に支持し端部に第２摺動支持部を有する第２保持部を備え、第２摺動支持部は、一対のパイプに摺動可能に支持されることにより、切断刃と共に一対のパイプの軸心方向に移動可能であり、一対のパイプの軸心方向に切断刃が移動するため、一対のパイプを第１摺動支持部に対して摺動させ移動させることにより切断刃を揺動軸に対して略直交する方向に移動させることができるのみならず、第２摺動支持部を一対のパイプに対して摺動させ移動させることにより、切断刃を揺動軸に対して略直交する方向に移動させることができる。このため、一対のパイプを卓上切断機の外方へ卓上切断機から突出させずに加工部材の切断を行うことが可能である。
【手続補正１４】
【補正対象書類名】明細書
【補正対象項目名】００２５
【補正方法】変更
【補正の内容】
【００２５】
本発明に係る卓上切断機の一実施形態によれば、第２係合部材は、第２ネジと第２ネジの一端に設けられた第２ノブとを有し、一対のパイプは第２摺動支持部によって周方向に覆われて保持され、第２摺動支持部には、仮想平面上において揺動軸に対して略直交する方向に貫通する第２貫通孔が形成され、第２ネジが第２貫通孔に螺合し、第２ネジの他端が、仮想平面上において揺動軸に対して略直交する方向にパイプを押圧してパイプの摺動を規制するため、第２係合部材の構成を簡単にすることができる。
【手続補正１５】
【補正対象書類名】明細書
【補正対象項目名】００２６
【補正方法】変更
【補正の内容】
【００２６】
本発明に係る卓上切断機の一実施形態によれば、支持部は、一端側においてベース部に支持され他端側において一対のパイプを支持する第１保持部を備え、一対のパイプは平行に配置され、一端側において切断部を支持し他端側において第１保持部に支持され、一対のパイプの軸心を含む仮想平面は切断刃の揺動方向と略平行な位置関係にあり、切断部は、切断刃を揺動可能に支持し端部に摺動支持部を有する第２保持部を備え、摺動支持部は、一対のパイプに摺動可能に支持されることにより、切断刃と共に揺動軸に対して略直交する方向に移動可能であり、揺動軸に対して略直交する方向に切断刃が移動するため、摺動支持部を一対のパイプに対して摺動させ移動させることにより、切断刃を揺動軸に対して略直交する方向に移動させることができる。このため、一対のパイプを卓上切断機の外方へ卓上切断機から突出させずに加工部材の切断を行うことが可能である。
【手続補正１６】
【補正対象書類名】明細書
【補正対象項目名】００２８
【補正方法】変更
【補正の内容】
【００２８】
本発明に係る卓上切断機の一実施形態によれば、係合部材は、ネジとネジの一端に設けられたノブとを有し、一対のパイプは摺動支持部によって周方向に覆われて保持され、摺動支持部には、仮想平面上において揺動軸に対して略直交する方向に貫通する貫通孔が形成され、ネジが貫通孔に螺合し、ネジの他端が、仮想平面上において揺動軸に対して略直交する方向にパイプを押圧してパイプの摺動を規制するため、係合部材の構成を簡単にすることができる。